(57)【要約】【課題】構成を簡単化するとともに容易に組み付けることができる給電装置を提供すること。【解決手段】下側の第１支持部材５１と上側の第２支持部材５２とが別体で設けられていることで、第２支持部材５２に第２軸部６２Ａを支持させた後に、第１支持部材５１に第１軸部６１Ａを支持させるとともに第２支持部材５２を第１支持部材５１に組み付けることができ、組み付け作業を容易に行うことができる。また、軸受部５１Ａ、５２Ａが軸部６１Ａ、６２Ａを挿通可能な形状に形成されていることで、構成を簡単化することができる。【選択図】図２
2015074432.tif 000002
【特許請求の範囲】
【請求項１】
スライド構造体に固定される支持部材と、該支持部材に軸支されるとともにワイヤハーネスが挿通される回動部材と、該回動部材を所定の回動方向に付勢する付勢部材と、を備えた給電装置であって、
前記回動部材は、一方側に形成された第１軸部と他方側に突出した第２軸部とを備え、
前記支持部材は、前記スライド構造体に固定されるとともに前記第１軸部を支持する第１軸受部が形成された第１支持部材と、前記第１支持部材に取り付けられるとともに前記第２軸部を支持する第２軸受部が形成された第２支持部材と、を備え、
前記第１支持部材と前記第２支持部材とのうち少なくとも一方には、互いの相対位置を決定する位置決め部が設けられていることを特徴とする給電装置。
【請求項２】
前記位置決め部は、前記第１支持部材と前記第２支持部材とを互いに係合させる突起部及び突起受穴を備えた係合部を有して構成されることを特徴とする請求項１に記載の給電装置。
【請求項３】
前記位置決め部は、前記第１支持部材及び前記第２支持部材に同軸上に形成されるとともに固着部材を挿通させる固着穴を備え、
前記支持部材は、前記固着部材が前記固着穴に挿通されることで、共締めによって前記スライド構造体に固着されることを特徴とする請求項１又は２に記載の給電装置。
【請求項４】
前記第１軸受部と前記第１軸部とのうち一方は、凹状に形成されるとともに内周面が連続して形成され、
前記第２軸受部は、内周面が連続して形成されていることを特徴とする請求項１〜３いずれか１項に記載の給電装置。
【請求項５】
前記第１軸受部と前記第１軸部とのうち他方は、外周面が連続して形成され、
前記第２軸部は、外周面が連続して形成されていることを特徴とする請求項４に記載の給電装置。
【請求項６】
前記第１軸部は、下方に突出して形成され、
前記第１軸受部は、下方の空間に連通して形成され、
前記付勢部材は、前記第２支持部材に収容され、前記第１支持部材は、前記第１軸受部の下方において、下方に向かうにしたがって前記スライド構造体から離れる側に向かって傾斜した傾斜面部を備えていることを特徴とする請求項１〜５項いずれか１項に記載の給電装置。
【発明の詳細な説明】
【技術分野】
【０００１】
本発明は、スライド構造体に固定される支持部材と、該支持部材に軸支されるとともにワイヤハーネスが挿通される回動部材と、該回動部材を所定の回動方向に付勢する付勢部材と、を備えた給電装置に関する。
【背景技術】
【０００２】
従来、スライド構造体に固定される支持部材と、支持部材に軸支されるとともにワイヤハーネスが挿通される回動部材と、回動部材を所定の回動方向に付勢する付勢部材と、を備えた給電装置が提案されている（例えば、特許文献１参照）。特許文献１に記載された給電装置では、付勢部材が回動部材を付勢することで、スライドドアの開閉時にワイヤハーネスが所定の方向に屈曲するように構成されている。
【先行技術文献】
【特許文献】
【０００３】
【特許文献１】特開２００７−１５１２５７号公報
【発明の概要】
【発明が解決しようとする課題】
【０００４】
しかしながら、特許文献１に記載の給電装置では、回動部材から互いに逆向きに突出した二つの軸部を支持部材に支持させる際に、一方の軸部は軸受部に挿通することができるものの、他方の軸部は予め分割された軸受部を組み立てる必要があり、軸受部付近の構成が複雑であるとともに組み付け作業が容易でないという不都合があった。
【０００５】
本発明の目的は、構成を簡単化するとともに容易に組み付けることができる給電装置を提供することにある。
【課題を解決するための手段】
【０００６】
本発明の給電装置は、スライド構造体に固定される支持部材と、該支持部材に軸支されるとともにワイヤハーネスが挿通される回動部材と、該回動部材を所定の回動方向に付勢する付勢部材と、を備えた給電装置であって、前記回動部材は、一方側に形成された第１軸部と他方側に突出した第２軸部とを備え、前記支持部材は、前記スライド構造体に固定されるとともに前記第１軸部を支持する第１軸受部が形成された第１支持部材と、前記第１支持部材に取り付けられるとともに前記第２軸部を支持する第２軸受部が形成された第２支持部材と、を備え、前記第１支持部材と前記第２支持部材とのうち少なくとも一方には、互いの相対位置を決定する位置決め部が設けられていることを特徴とする。
【０００７】
以上のような本発明によれば、第１支持部材と第２支持部材とが別体で設けられていることで、まず二つの軸部のうち一方を対応する支持部材に支持させるとともにワイヤハーネスを組み付けた後に、他方の軸部を対応する支持部材に支持させるとともに支持部材同士を組み付けることができ、組み付け作業を容易に行うことができる。さらに、軸受部を軸部が挿通可能な形状とすることができ、構成を簡単化することができる。また、位置決め部が設けられていることで、第１支持部材と第２支持部材とが別体で設けられていても回動軸がずれてしまうことを防止することができる。
【０００８】
この際、本発明の給電装置では、前記位置決め部は、前記第１支持部材と前記第２支持部材とを互いに係合させる突起部及び突起受穴を備えた係合部を有して構成されることが好ましい。このような構成によれば、係合部によって第１支持部材と第２支持部材との相対位置を容易に決定して回動軸のずれを防ぐことができる。
【０００９】
さらに、本発明の給電装置では、前記位置決め部は、前記第１支持部材及び前記第２支持部材に同軸上に形成されるとともに固着部材を挿通させる固着穴５１Ｄ、５２Ｄを備え、前記支持部材は、前記固着部材が前記固着穴に挿通されることで、共締めによって前記スライド構造体に固着されることが好ましい。このような構成によれば、第１支持部材及び第２支持部材が共締めによってスライド構造体に固着されることで、回動軸がずれることを確実に防ぐことができる。さらに、互いに固着された第１支持部材及び第２支持部材を別の固着穴と固着部材とによってスライド構造体に固着する構成と比較して、構造を簡単化することができるとともに、組み付け作業の工数を削減することができる。
【００１０】
また、本発明の給電装置では、前記第１軸受部と前記第１軸部とのうち一方は、凹状に形成されるとともに内周面が連続して形成され、前記第２軸受部は、内周面が連続して形成されていることが好ましい。このような構成によれば、凹状に形成された軸部又は軸受部の内周面が連続して形成されている、即ち、内周面に切れ目が存在しないことで、回動部材をスムーズに回動させることができる。
【００１１】
また、本発明の給電装置では、前記第１軸受部と前記第１軸部とのうち他方は、外周面が連続して形成され、前記第２軸部は、外周面が連続して形成されていることが好ましい。このような構成によれば、突出した軸部又は軸受部の外周面が連続して形成されている、即ち、外周面に切れ目が存在しないことで、回動部材をスムーズに回動させることができる。
【００１２】
また、本発明の給電装置では、前記第１軸部は、下方に突出して形成され、前記第１軸受部は、下方の空間に連通して形成され、前記付勢部材は、前記第２支持部材に収容され、前記第１支持部材は、前記第１軸受部の下方において、下方に向かうにしたがって前記スライド構造体から離れる側に向かって傾斜した傾斜面部５１Ｂを備えていることが好ましい。
【００１３】
このような本発明によれば、下方に突出した第１軸部を支持する第１軸受部が下方の空間に連通していることで、異物や水が第１軸受部から排出され、異物や水が溜まることを防止することができる。さらに、第１軸武家部の下方に傾斜面部が設けられていることで、排出された異物や水が傾斜面部に沿ってスライド構造体から離れる側に向かい、異物や水が溜まることをさらに防止することができる。さらに、第２支持部材に付勢部材が収容されていることで、第１軸受部の構成をさらに簡単化し、異物や水が排出されやすい構成とすることができる。
【発明の効果】
【００１４】
以上のような本発明の給電装置によれば、第１支持部材と第２支持部材とが別体で設けられていることで、構成を簡単化するとともに容易に組み付けることができる。
【図面の簡単な説明】
【００１５】
【図１】本発明の実施形態に係る給電装置の動作を示す平面図である。
【図２】前記給電装置の要部を示す分解斜視図である。
【図３】スライド構造体の全閉時及び全開時における前記給電装置の要部を示す断面図である。
【図４】前記給電装置の要部を示す断面図である。
【発明を実施するための形態】
【００１６】
以下、本発明の実施形態を図面に基づいて説明する。本実施形態の給電装置１は、図１に示すように、図示しない車両に設けられるものであって、車両ボディＢ側に設けられるボディ側ユニット２と、スライド構造体としての図示しないスライドドアに設けられるドア側ユニット３と、ボディ側ユニット２とドア側ユニット３とに亘って設けられるとともに図示しないワイヤハーネスが挿通されたコルゲートチューブ（外装部材）４と、を備えて構成され、車両ボディＢに設けられた図示しない電源や制御手段からスライドドアに設けられた図示しない電気機器にワイヤハーネスによって電力や電気信号を供給したり送受信したりする装置である。また、本実施形態におけるＸ方向、Ｙ方向、及び、Ｚ方向は図１に示す通りとし、ボディ側ユニット２及びドア側ユニット３は車両の上下方向であるＺ方向に略平行な回動軸を有してコルゲートチューブ４を回動可能に支持するとともに、スライドドアは車両の前後方向であるＸ方向に開閉される。
【００１７】
ドア側ユニット３は、図２に示すように、スライドドアに固定される支持部材５と、支持部材５に軸支されるとともにワイヤハーネスが挿通される回動部材６と、回動部材６を所定の回動方向（図１に矢印で示す方向）に付勢する付勢部材としての巻きバネ７と、ワイヤハーネスをＸ方向後側に向けてスライドドアに案内するガイド部材８と、を有して構成されている。
【００１８】
回動部材６は、Ｚ方向下側に突出した第１軸部６１Ａを備えた第１回動部材６１と、Ｚ方向上側に突出した第２軸部６２Ａを備えた第２回動部材６２と、を有して構成されている。第１軸部６１Ａ及び第２軸部６２Ａは、外周面が連続して形成されている。また、第２回動部材６２は、巻きバネ７の一端７１を係止する第１係止部６２Ｂを備え、第２軸部６２Ａの内側にはワイヤハーネスを挿通可能な第１挿通部６３が形成されている。第１回動部材６１と第２回動部材６２とが組み付けられると、ＸＹ平面に平行な方向に開口した第２挿通部６４が形成される。
【００１９】
支持部材５は、スライドドアに固定されるとともに第１軸受部５１Ａによって第１軸部６１Ａを支持する第１支持部材５１と、第１支持部材５１に取り付けられるとともに第２軸受部５２Ａによって第２軸部６２Ａを支持する第２支持部材５２と、を備えている。第１軸受部５１Ａ及び第２軸受部５２Ａは、内周面が連続して形成されるとともに、軸部６１Ａ、６２Ａを挿通可能な形状に形成されており、第１軸受部５１Ａは、図４にも示すように、Ｚ方向下側の空間に連通した貫通穴状に形成され、第１支持部材５１には、第１軸受部５１Ａの下方において、下方に向かうにしたがってスライドドアから離れる側（即ち、Ｙ方向車両内側）に向かって傾斜した傾斜面部５１Ｂが形成されている。第２支持部材５２は、第２係止部５２Ｂによって巻きバネ７の他端７２を係止するとともに収容し、上方からガイド部材８が組み付けられる。
【００２０】
第１支持部材５１には、突起受穴５１Ｃが形成され、第２支持部材５２には、突起部５２Ｃが形成され、第１支持部材５１と第２支持部材５２とは突起受穴５１Ｃと突起部５２Ｃとによって互いに係合し、突起受穴５１Ｃと突起部５２Ｃとが係合部として機能する。また、第１支持部材５１及び第２支持部材５２には、それぞれ固着穴５１Ｄ、５２Ｄが形成され、第１支持部材５１と第２支持部材５２とが組み付けられると、固着穴５１Ｄと固着穴５２Ｄとは同軸上に位置し（即ち、Ｙ方向に並び）、図示しないボルト等の固着部材が挿通されることで、第１支持部材５１と第２支持部材５２とは相対位置を決定しつつ共締めによってスライドドアに固定される。このような係合部と固着穴５１Ｄ、５２Ｄとが位置決め部として機能する。
【００２１】
コルゲートチューブ４は、ドア側ユニット３において、第２挿通部６４に挿通されるとともに固定され、ワイヤハーネスのみが回動部材６内でＺ方向上側に向けて曲げられるとともに、第１挿通部６３を通過してガイド部材８によってスライドドアの内部（ドアパネルとドアトリムとの間の空間）に案内される。
【００２２】
次に、ドア側ユニット３を組み立てる手順について説明する。まず、巻きバネ７の他端７２を第２係止部５２Ｂに係止させつつ巻きバネ７を第２支持部材５２に収容するとともに、第２支持部材５２にガイド部材８を組み付ける。また、第１回動部材６１と第２回動部材６２とを組み付けるとともに、回動部材６にボディ側ユニット２から延びたコルゲートチューブ４を挿通し、ワイヤハーネスを第１挿通部６３から通過させる。このワイヤハーネスを第２支持部材５２及びガイド部材８に挿通し、巻きバネ７の一端７１を第１係止部６２Ｂに係止させるとともに、第２軸受部５２Ａに第２軸部６２Ａを挿通する。次に、第１軸受部５１Ａに第１軸部６１Ａを挿通するとともに突起受穴５１Ｃに突起部５２Ｃを挿通し、回動部材６及び第２支持部材５２を第１支持部材５１に組み付ける。さらに、固着穴５１Ｄ、５２Ｄにボルトを挿通してスライドドアに固定することで、ドア側ユニット３がコルゲートチューブ４を回動可能に支持しつつスライドドアに固定される。
【００２３】
次に、スライドドア開閉時のドア側ユニット３の動作について説明する。図１に示すドア全閉状態において、ドア側ユニット３は、図３（Ａ）にも断面して示すように、第２挿通部６４をＸ方向後側に向けた状態、即ち、コルゲートチューブ４をＸ方向後側に向けて支持した状態となっている。また、巻きバネ７によって回動部材６が図１中時計回りに付勢されていることで、スライドドアの開閉の途中であるドア半開状態において、コルゲートチューブ４はＳ字状に湾曲し、ドア側ユニット３は図３（Ａ）に示すような状態を維持する。一方、図１に示すドア全開状態においては、回動部材６が反時計回りに回動し、ドア側ユニット３は、図３（Ｂ）にも示すように、第２挿通部６４をＹ方向車両内側に向けた状態、即ち、コルゲートチューブ４をＹ方向車両内側に向けて支持した状態となる。
【００２４】
このような本実施形態によれば、以下のような効果がある。即ち、第１支持部材５１と第２支持部材５２とが別体で設けられていることで、第２支持部材５２に第２軸部６２Ａを支持させた後に、第１支持部材５１に第１軸部６１Ａを支持させるとともに第２支持部材５２を第１支持部材５１に組み付けることができ、組み付け作業を容易に行うことができる。
【００２５】
また、軸受部５１Ａ、５２Ａが軸部６１Ａ、６２Ａを挿通可能な形状に形成されていることで、構成を簡単化することができるとともに、軸受部を分割する構成と比較して、第１支持部材５１の意匠性を向上させることができる。このように第１支持部材５１の意匠性が高められていることで、スライドドアの車両内側の外観を違和感のないものにすることができる。
【００２６】
さらに、第１支持部材５１と第２支持部材５２とが係合部５１Ｃ、５２Ｃ及び固着穴５１Ｄ、５２Ｄによって位置決めされていることで、第１支持部材５１と第２支持部材５２とが別体で設けられていても回動軸がずれてしまうことを防止することができる。さらに、係合部によって相対位置を容易に決定するとともに、固着穴５１Ｄ、５２Ｄに固着部材を挿通することでずれを防止しつつスライドドアに固定することができる。また、第１支持部材５１及び第２支持部材５２が共締めによってスライドドアに固着されることで、回動軸がずれることをより確実に防ぐことができる。さらに、互いに固着された第１支持部材及び第２支持部材を別の固着穴と固着部材とによってスライドドアに固着する構成と比較して、構造を簡単化することができるとともに、組み付け作業の工数を削減することができる。
【００２７】
また、第１軸受部５１Ａ及び第２軸受部５２Ａの内周面が連続して形成されるとともに、第１軸部６１Ａ及び第２軸部６２Ａの外周面が連続して形成されていることで、回動部材６をスムーズに回動させることができる。
【００２８】
また、Ｚ方向下側の第１軸部６１Ａが挿通される第１軸受部５１Ａが下方の空間に連通するとともに、第１支持部材５１に傾斜面部５１Ｂが形成されていることで、第１軸部６１Ａ付近の異物や水が第１軸受部５１Ａから排出されるとともに、このような異物や水が傾斜面部５１Ｂに沿ってスライドドアから排出され、異物や水が溜まることをさらに防止することができる。
【００２９】
なお、本発明は、前記実施形態に限定されるものではなく、本発明の目的が達成できる他の構成等を含み、以下に示すような変形等も本発明に含まれる。例えば、前記実施形態では、第１軸受部５１Ａが下方の空間に連通するものとしたが、第１軸受部は貫通した穴でなくてもよく、第１軸部６１ＡとＺ方向に係合可能なように断面視凹状に形成されていてもよい。また、傾斜面部５１Ｂは省略されていてもよく、第１軸受部５１Ａから下方に排出された異物や水がそのまま下方に向かう構成であってもよい。
【００３０】
また、前記実施形態では、係合部５１Ｃ、５２Ｃ及び固着穴５１Ｄ、５２Ｄが位置決め部として機能するものとしたが、いずれか一方が設けられている構成であってもよいし、リブ等の他の適宜な位置決め部が設けられていてもよい。また、固着穴５１Ｄ、５２Ｄに固着部材が挿通されて第１支持部材５１と第２支持部材５２とが固着されるとともに、別の固着部材や固着穴によって支持部材５がスライドドアに固定されてもよい。
【００３１】
また、前記実施形態では、回動部材６は第１回動部材６１と第２回動部材６２とが別体で設けられたものとしたが、回動部材６は、第１軸部６１Ａと第２軸部６２Ａとを備えて一体に形成されたものであってもよく、このような構成によれば、部品点数を削減することができる。
【００３２】
また、前記実施形態では、付勢部材として巻きバネ７を例示したが、付勢部材は例えば板バネであってもよく、回動部材６を所定の回動方向に付勢することができる適宜なものであればよい。
【００３３】
また、前記実施形態では、ガイド部材８はワイヤハーネスをＸ方向後側に向けて案内するものとしたが、適宜な方向に向けてスライドドアに案内するものであればよい。また、第１挿通部６３に挿通されたワイヤハーネスを曲げて配索する必要がない場合、ガイド部材８は省略されていてもよい。
【００３４】
また、前記実施形態では、第１軸部６１ＡがＺ方向下側に突出するものとしたが、第１支持部材５１に上側に突出した軸受部が形成されるとともに、第１軸部が凹状に形成されることで第１軸部が第１支持部材５１に支持される構成としてもよい。
【００３５】
また、前記実施形態では、給電装置１は車両に設けられるものとしたが、例えば、船舶や航空機等に設けられていてもよく、固定構造体と、固定構造体にスライド可能に設けられたスライド構造体と、の間でワイヤハーネスを介して給電する装置であればよい。
【００３６】
また、前記実施形態では、第１軸受部５１Ａ及び第２軸受部５２Ａの内周面が連続して形成されるとともに第１軸部６１Ａ及び第２軸部６２Ａの外周面が連続して形成されるものとしたが、上述のように突出した軸受部の外周面が連続して形成されるとともに凹状に形成された軸部の内周面が連続して形成されていてもよい。また、凹状に形成された軸部又は軸受部が分割された構成であってもよい。
【００３７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３８】
１          給電装置
５          支持部材
６          回動部材
７          巻きバネ（付勢部材）
５１        第１支持部材
５１Ａ      第１軸受部
５１Ｂ      傾斜面部
５１Ｃ      突起受穴
５１Ｄ      固着穴
５２        第２支持部材
５２Ａ      第２軸受部
５２Ｃ      突起部
５２Ｄ      固着穴
６１Ａ      第１軸部
６２Ａ      第２軸部
【図１】
2015074432.tif 000003
【図２】
2015074432.tif 000004
【図３】
2015074432.tif 000005
【図４】
2015074432.tif 000006